(57)【要約】【課題】  通信品質の状態に基づいてアンテナの角度を遠隔調整する。【解決手段】  信号を受信するアンテナを備える局外無線端末装置１２と、局内無線端末装置１３を備える基地局と、受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段４０２と、基地局から、アンテナ角度指定データに基づいて各角度で測定したＢＥＲ値を受信し、受信したＢＥＲ値に基づいてアンテナの角度を決定し、決定したアンテナの角度を基地局に送信するアンテナ角度決定手段４０４とを含む遠隔監視装置とを備える無線アクセスネットワークシステムを提供する。【選択図】  図２
2012129859.tif 000002
【特許請求の範囲】
【請求項１】
信号を受信するアンテナを備える局外無線端末装置と、局内無線端末装置を備える基地局と、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するアンテナ角度決定手段とを含む遠隔監視装置とを備える
ことを特徴とする無線アクセスネットワークシステム。
【請求項２】
前記基地局の局外無線端末装置が、前記アンテナの角度を調整するアンテナ調整手段を含み、
前記基地局の前記局内無線端末装置が、前記遠隔監視装置からの前記アンテナ角度指定データに含まれる各角度毎に、前記アンテナの角度調整を前記アンテナ調整手段に要求すると共に、調整した角度において受信した信号のＢＥＲ値を計測して前記アンテナ角度決定手段に送るＢＥＲ値計測手段と含むとを備えることを特徴とする請求項１に記載の無線アクセスネットワークシステム。
【請求項３】
前記遠隔監視装置に、電波の受信レベルが変動する現象であるフェーディングについての所定の情報が入力されると、
前記アンテナ角度決定手段が、
前記フェーディングに対し予め設定された所定の角度から、入力された前記所定の情報に対応する角度を選択し、選択した前記アンテナの角度を前記基地局に送信することを特徴とする請求項１又は請求項２に記載の無線アクセスネットワークシステム。
【請求項４】
アンテナを備える基地局と、遠隔監視装置とを含む無線アクセスネットワークシステムの前記基地局のアンテナの角度を制御するアンテナ角度制御方法であって、
前記遠隔監視装置が、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するステップと、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するステップと
を含むことを特徴とする無線アクセスネットワークシステムのアンテナ角度制御方法。
【請求項５】
前記基地局が、
前記遠隔監視装置からの前記アンテナ角度指定データに含まれる各角度毎に、前記アンテナの角度を調整し、調整した角度において受信した信号のＢＥＲ値を計測して前記遠隔監視装置に送信し、
前記遠隔監視装置から受信した決定した前記アンテナの角度に基づいて前記アンテナの向きを調整することを特徴とする請求項４に記載の無線アクセスネットワークシステムのアンテナ角度制御方法。
【請求項６】
前記遠隔監視装置が、
電波の受信レベルが変動する現象であるフェーディングについての所定の情報が入力されると、前記フェーディングに対し予め設定された所定の角度から、入力された前記所定の情報に対応する角度を選択し、選択した前記アンテナの角度を前記基地局に送信することを特徴とする請求項４又は請求項５に記載の無線アクセスネットワークシステム。
【請求項７】
アンテナを備える基地局と、遠隔監視装置とを含む無線アクセスネットワークシステム上で動作し、前記基地局のアンテナの角度を制御するアンテナ角度制御プログラムであって、
前記遠隔監視装置に、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信する処理と、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信する処理とを、実行させる
ことを特徴とするアンテナ角度制御プログラム。
【請求項８】
前記基地局に、
前記遠隔監視装置からの前記アンテナ角度指定データに含まれる各角度毎に、前記アンテナの角度を調整し、調整した角度において受信した信号のＢＥＲ値を計測して前記遠隔監視装置に送信する処理と、
前記遠隔監視装置から受信した決定した前記アンテナの角度に基づいて前記アンテナの向きを調整する処理とを、実行させる
ことを特徴とする請求項７に記載の無線アクセスネットワークシステムのアンテナ角度制御プログラム。
【請求項９】
前記遠隔監視装置に、
電波の受信レベルが変動する現象であるフェーディングについての所定の情報が入力されると、前記フェーディングに対し予め設定された所定の角度から、入力された前記所定の情報に対応する角度を選択し、選択した前記アンテナの角度を前記基地局に送信する処理を実行させることを特徴とする請求項７又は請求項８に記載の無線アクセスネットワークシステム。
【請求項１０】
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するアンテナ角度決定手段とを備える
ことを特徴とする無線アクセスネットワークシステムの遠隔監視装置。
【発明の詳細な説明】
【技術分野】
【０００１】
本発明は、無線アクセスネットワークシステムに関し、特に、通信品質の状態に基づいてアンテナの角度を遠隔調整する無線アクセスネットワークシステム、遠隔監視装置、アンテナ角度制御方法、及びアンテナ角度制御プログラムに関する。
【背景技術】
【０００２】
無線アクセスネットワークにおけるデータ通信システムにおいて、データの送受信を行うパラボラアンテナ等のアンテナの角度の制御方式については、受信電界レベルを監視しながら調整するものが一般的である。
【０００３】
受信電界レベルを監視しながらアンテナの角度を調整する方法は、電界レベルが高ければより良い品質を得る一般論的な因果関係から推測した調整方法であり、一般に、調整可能な範囲で電界レベルが最大となるようにアンテナの調整を行っていた。
【０００４】
また、関連技術として、通信品質の低下を事前に検知し、通信経路の変更を行う技術が特許文献１に開示されている。
【０００５】
特許文献１に開示の技術では、通信経路上に通信を遮蔽する物体が現れたことを検知し、通信の品質低下が起こる前にアンテナの送信／受信角度を変更することで、通信の品質低下を未然に防いでいる。
【先行技術文献】
【特許文献】
【０００６】
【特許文献１】特開２０１０−１７１５６０号公報
【発明の概要】
【発明が解決しようとする課題】
【０００７】
しかしながら、受信電界レベルを監視する方法は、通信品質を示すＢｉｔ  Ｅｒｒｏｒ  Ｒａｔｅ（以下、ＢＥＲと称す）を監視するものではないため、他電波による電波干渉障害等は考慮できないという課題がある。
【０００８】
受信電界レベルを監視する方法では、電波干渉問題で結果的に目標品質の目標ＢＥＲ値を確保できなくても、常に最大電界時の角度に調整していた。その結果、パラボラアンテナの角度調整後、目標通信品質が確保できないことが判明した場合は、アンテナの角度調整以外での対策（使用周波数の変更等）を行っていた。このため、角度調整で対策が可能であるかの検証することなく、安易な周波数変更、アンテナサイズの変更、特殊アンテナの採用等の多くの費用が発生する方策が行われていた。
【０００９】
また、盆地の河川付近での電波伝播が必要となった場合、朝霧等のよるフェーディング対応が必要となるが、従来は最悪ケースを考慮した過剰アンテナサイズを選択していた。
【００１０】
また、引用文献１に記載の技術は、通信品質を監視してアンテナを最適な角度に調整するものではなく、遮蔽物の有無を検知してアンテナの角度を調整し、その結果として通信品質の低下を防ぐものである。このため、当該方法をもって最適な通信品質を得ることはできず、また、受信電界レベルを監視する方法と同様に電波干渉障害等は考慮できないという課題がある。
【００１１】
（発明の目的）
本発明の目的は、上述した課題を解決し、通信品質の状態に基づいてアンテナの角度を遠隔調整する無線アクセスネットワークシステム、遠隔監視装置、アンテナ制御方法、アンテナ制御プログラムを提供することである。
【課題を解決するための手段】
【００１２】
本発明の第１の無線アクセスネットワークシステムは、信号を受信するアンテナを備える局外無線端末装置と、局内無線端末装置を備える基地局と、受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、基地局から、アンテナ角度指定データに基づいて各角度で測定したＢＥＲ値を受信し、受信したＢＥＲ値に基づいてアンテナの角度を決定し、決定したアンテナの角度を基地局に送信するアンテナ角度決定手段とを含む遠隔監視装置とを備える。
【００１３】
本発明の第１の無線アクセスネットワークシステムのアンテナ角度制御方法は、アンテナを備える基地局と、遠隔監視装置とを含む無線アクセスネットワークシステムの基地局のアンテナの角度を制御するアンテナ角度制御方法であって、遠隔監視装置が、受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するステップと、基地局から、アンテナ角度指定データに基づいて各角度で測定したＢＥＲ値を受信し、受信したＢＥＲ値に基づいてアンテナの角度を決定し、決定したアンテナの角度を基地局に送信するステップとを含む。
【００１４】
本発明の第１のアンテナ角度制御プログラムは、アンテナを備える基地局と、遠隔監視装置とを含む無線アクセスネットワークシステム上で動作し、基地局のアンテナの角度を制御するアンテナ角度制御プログラムであって、遠隔監視装置に、受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信する処理と、基地局から、アンテナ角度指定データに基づいて各角度で測定したＢＥＲ値を受信し、受信したＢＥＲ値に基づいてアンテナの角度を決定し、決定したアンテナの角度を基地局に送信する処理とを、実行させる。
【００１５】
本発明の第１の無線アクセスネットワークシステムの遠隔監視装置は、受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、基地局から、アンテナ角度指定データに基づいて各角度で測定したＢＥＲ値を受信し、受信したＢＥＲ値に基づいてアンテナの角度を決定し、決定したアンテナの角度を基地局に送信するアンテナ角度決定手段とを備える。
【発明の効果】
【００１６】
本発明によれば、通信品質の状態に基づいてアンテナの角度を遠隔調整することができる。
【図面の簡単な説明】
【００１７】
【図１】本発明の第１の実施の形態による無線アクセスネットワークシステム１００の構成を示す図である。
【図２】第１の実施の形態による無線アクセスネットワークシステム１００の構成を示すブロック図である。
【図３】第１の実施の形態による無線アクセスネットワークシステム１００の動作を示すフローチャートである。
【図４】本発明の遠隔監視装置のハードウェア構成例を示すブロック図である。
【発明を実施するための形態】
【００１８】
本発明の実施の形態について図面を参照して詳細に説明する。なお、すべての図面において、同様な構成要素には同様の符号を付し、適宜説明を省略する。
【００１９】
（第１の実施の形態）
本発明の第１の実施の形態について、図面を参照して詳細に説明する。以下の図において、本発明の本質に関わらない部分の構成については適宜省略してあり、図示されていない。
【００２０】
図１及び図２は、本発明の第１の実施の形態による無線アクセスネットワークシステム１００の構成を示す概要図及びブロック図である。
【００２１】
図１、２を参照すると、本実施の形態による無線アクセスネットワークシステム１００は、基地局Ａと、基地局Ｂと、遠隔監視局とから構成されている。なお、図２については、アンテナ可動装置１１及び２１，パラボナアンテナ１０及び２０については図示を省略している。
【００２２】
基地局Ａは、局内無線端末装置１３と、局外無線端末装置１２と、アンテナ可動装置１１と、パラボナアンテナ１０と、を備える。
【００２３】
局内無線端末装置１３は、後述する遠隔監視装置（Ｎｅｔｗｏｒｋ  Ｍａｎａｇｅｍｅｎｔ  Ｓｙｓｔｅｍ（ＮＭＳ））４０又は局外無線装置１４１と通信を行う送受信手段１３１と、パラボラアンテナ１０を介した基地局Ｂとの通信のＢＥＲ値を計測するＢＥＲ値計測手段１３２とを含む。
【００２４】
局外無線装置１２は、局内無線装置１４及びアンテナ可動装置と通信を行う送受信手段１２１と、アンテナ可動装置１１を駆動してパラボナアンテナ１０の角度調整を行うアンテナ調整手段１２２とを含む。
【００２５】
パラボラアンテナ１０は、基地局Ｂのパラボナアンテナ２０との間で通信を行う。
【００２６】
基地局Ｂは、局内無線端末装置２３と、局外無線端末装置２２と、アンテナ可動装置２１と、パラボナアンテナ２０と、を備える。これらは、基地局Ａの局内無線端末装置１３、局外無線端末装置１２、アンテナ可動装置１１、パラボナアンテナ１０と同様であるため、詳細な説明は省略する。
【００２７】
遠隔監視装置４０は、局内無線端末装置１３及び２３と、ＩＰ網５０を介して通信を行う送受信手段４０１と、ＢＥＲ値を計測する角度を指定するアンテナ角度指定データを生成するアンテナ角度指定手段４０２と、各角度毎のＢＥＲ値を記憶するＢＥＲ値記憶手段４０３と、ＢＥＲ値に基づき最終的な角度を決定するアンテナ角度決定手段４０４と、を含む。
【００２８】
アンテナ角度指定手段４０２は、上下方向（ｎ段）、左右方向（ｍ段）の、ｎ×ｍの組み合わせからなるアンテナ角度指定データを生成する。
【００２９】
アンテナ角度指定データは、上下方向（ｎ段）、左右方向（ｍ段）の、ｎ×ｍの組み合わせからなる。１段は、アンテナ可動装置１１、２１の最小駆動単位であり、例えば、上２段、右３段とした場合、基準位置に対して６通りの組み合わせからなる角度制御データとなる。なお、ｎ、ｍは自由に設定することができる。
【００３０】
なお、基準位置は自由に設定可能である。
【００３１】
アンテナ角度指定データは、ＢＥＲ値を計測する範囲を指定するもので、局内無線端末装置１３、２３は、該アンテナ角度指定データに基づく範囲について、ＢＥＲ値を計測する。
【００３２】
また、アンテナ角度指定手段４０２は、局内無線端末装置１３、２３から、ＢＥＲ値の計測結果が送信されてくると、角度毎のＢＥＲ値をＢＥＲ値記憶手段４０３に記録する。また、計測日時、その他必要な情報を併せて記録しても良い。
【００３３】
アンテナ角度決定手段４０４は、計測されたＢＥＲ値に基づいて最終的に調整する角度を決定し、パラボナアンテナ１０又は２０の角度を該角度に調整する旨の要求を、局内無線端末装置１３を介して局外無線端末装置１２へ行う。
【００３４】
（第１の実施の形態の動作の説明）
次に、本実施の形態による無線アクセスネットワークシステム１００の動作について、図面を参照して詳細に説明する。
【００３５】
図３は、本実施の形態による無線アクセスネットワークシステム１００の動作を示すフローチャートである。
【００３６】
なお、以下においては、基地局Ａのパラボナアンテナ１０を調整する場合について説明を行うが、基地局Ｂのパラボナアンテナ２０について行う場合も同様である。
【００３７】
図３を参照すると、まず、アンテナ角度指定手段４０２が、アンテナ角度指定データを生成する（ステップＳ３０１）。ここで指定される角度は、パラボナアンテナ１０の基準位置からの所定範囲であり、該範囲は予め設定されているものとする。アンテナ可動装置１１の可動範囲全てを指定することももちろん可能である。
【００３８】
次いで、送受信手段４０１が、該アンテナ角度指定データを局内無線端末装置１３へ送信する（ステップＳ３０２）。
【００３９】
送受信手段１３１がアンテナ角度指定データを受け取ると、ＢＥＲ値計測手段１３２が、パラボナアンテナ１０の角度をアンテナ角度指定データの所定の角度に調整する旨の信号（以下、角度調整信号と称す）を、送受信手段１３１を介して局外無線端末装置１４に送信する（ステップＳ３０３）。
【００４０】
送受信手段１２１が角度調整信号を受け取ると、アンテナ調整手段１２２が、該信号に基づいてパラボナアンテナ１０の角度を調整する（ステップＳ３０４）
【００４１】
次いで、ＢＥＲ値計測手段１３２が、調整された角度におけるＢＥＲ値を計測する（ステップＳ３０５）。
【００４２】
アンテナ角度指定データに複数の角度がある場合（角度パタンが複数ある場合）、ステップＳ３０３〜Ｓ３０５を繰り返す（ステップＳ３０６）。
【００４３】
ＢＥＲ値計測手段１３２は、アンテナ角度指定データに含まれる全ての角度についてＢＥＲ値を計測すると（ステップＳ３０６”ＹＥＳ”）、該計測結果を送受信手段１３１を介して遠隔監視装置４０へ送信する（ステップＳ３０７）。計測結果には、アンテナの角度情報、日付、ＢＥＲ値を少なくとも含むものとするが、これに限定はされない。
【００４４】
送受信手段４０１がＢＥＲ値の計測結果を受信すると、ＢＥＲ値記憶手段４０３が、該計測結果を記録する（ステップＳ３０８）。
【００４５】
次に、アンテナ角度決定手段４０４が、記録した計測結果の中から、通信品質が最もよい角度を抽出し、該角度にパラボナアンテナ１０を調整する旨の要求を、局外無線端末装置１２へ行う（ステップＳ３０９）。
【００４６】
次いで、アンテナ調整手段１２２が、該要求に基づいてパラボナアンテナ１０の角度を調整する（ステップＳ３１０）。
【００４７】
（第１の実施の形態による効果）
次に本実施の形態の効果について説明する。
【００４８】
本実施の形態によれば、通信品質を示すＢＥＲ値を直接監視するため、他電波による電波干渉障害等も考慮した上で通信品質が最も良い角度にアンテナの角度を調整することができる。
【００４９】
また、本実施の形態によれば、遠隔地にある遠隔監視局でアンテナの角度調整の指示が出せるため、現場に出向くことなく角度調整可能である。このため、アンテナ調整作業員や地上局要員を派遣する必要がなく、コスト軽減に効果を奏する。
【００５０】
また、受信電界値によるアンテナ角度調整では、電波干渉問題が発生した場合、角度調整に多大なる尽力が必要であるため、他の方法（周波数の変更）での対策を行うのが常であったのに対し、本実施の形態によれば、可動範囲（ｎ×ｍ）組合せ全てに関して、自動で通信品質データを取得できるため、角度調整で干渉問題を解決できるか否かの確認を、通信品質の監視と同時にできる。
【００５１】
また、本実施の形態によれば、盆地の河川付近での電波伝播が必要となったような場合、朝霧等のよるフェーディング対応として、朝霧発生の情報を手動／自動入手した時、あらかじめ対策として決めていた角度調整（ｎ×ｍ）にアンテナを調整し、フェーディングによる通信品質（ＢＥＲ値）を改善することが可能である。
【００５２】
また、本実施の形態によれば、定期的な時刻、季節に発生するフェーディング時に於ける、最も影響を受けにくい角度を数値にて記憶させ、その数値を利用して、時刻、季節に合わせて最適な角度調整を瞬時に行うことも可能である。このため、アンテナ寸法を最小化できる。その理由は、これまではアンテナは固定角度で通信品質を計算していたが、アンテナ角度の変動により最悪条件を緩和できるからである。
【００５３】
これらは、アンテナ角度決定手段４０４が、所定のフェーディング情報が入力されると、これに対応する、予め設定された所定の角度にパラボナアンテナ１０又は２０を変更することにより実現できる。
【００５４】
なお、本実施の形態では、データの送受信を行う基地局Ａと基地局Ｂの双方に、同様の機能を持たせているが、基地局Ａまたは基地局Ｂのどちらか一方に上述した機能を持たせる構成としても良い。
【００５５】
また、送受信手段１２１、１３１、２２１、２３１、４０１と、ＢＥＲ値記憶手段４０３は既存の技術を用いて実現し、アンテナ調整手段１２２（２２２）、ＢＥＲ値計測手段１３２（２３２）、アンテナ角度指定手段４０２、アンテナ角度決定手段４０４の最小限の構成によっても、上述の課題を解決できる。
【００５６】
次に、本発明の遠隔監視装置４０のハードウェア構成例について、図４を参照して説明する。図４は、遠隔監視装置４０のハードウェア構成例を示すブロック図である。
【００５７】
図４を参照すると、遠隔監視装置４０は、一般的なコンピュータ装置と同様のハードウェア構成であり、ＣＰＵ（Ｃｅｎｔｒａｌ  Ｐｒｏｃｅｓｓｉｎｇ  Ｕｎｉｔ）８０１、ＲＡＭ（Ｒａｎｄｏｍ  Ａｃｃｅｓｓ  Ｍｅｍｏｒｙ）等のメモリからなる、データの作業領域やデータの一時退避領域に用いられる主記憶部８０２、ネットワークを介してデータの送受信を行う通信部８０３、入力装置８０５や出力装置８０６及び記憶装置８０７と接続してデータの送受信を行う入出力インタフェース部８０４、上記各構成要素を相互に接続するシステムバス８０８を備えている。記憶装置８０７は、例えば、ＲＯＭ（Ｒｅａｄ  Ｏｎｌｙ  Ｍｅｍｏｒｙ）、磁気ディスク、半導体メモリ等の不揮発性メモリから構成されるハードディスク装置等で実現される。
【００５８】
本発明の遠隔監視装置４０のアンテナ角度指定手段４０２、アンテナ角度決定手段４０３は、プログラムを組み込んだ、ＬＳＩ（Ｌａｒｇｅ  Ｓｃａｌｅ  Ｉｎｔｅｇｒａｔｉｏｎ）等のハードウェア部品である回路部品を実装することにより、その動作をハードウェア的に実現することは勿論として、その機能を提供するプログラムを、記憶装置８０７に格納し、そのプログラムを主記憶部８０２にロードしてＣＰＵ８０１で実行することにより、ソフトウェア的に実現することも可能である。
【００５９】
以上好ましい実施の形態をあげて本発明を説明したが、本発明は必ずしも、上記実施の形態に限定されるものでなく、その技術的思想の範囲内において様々に変形して実施することができる。
【００６０】
なお、以上の構成要素の任意の組合せ、本発明の表現を方法、装置、システム、記録媒体、コンピュータプログラムなどの間で変換したものもまた、本発明の態様として有効である。
【００６１】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００６２】
また、本発明の方法およびコンピュータプログラムには複数の手順を順番に記載してあるが、その記載の順番は複数の手順を実行する順番を限定するものではない。このため、本発明の方法およびコンピュータプログラムを実施する時には、その複数の手順の順番は内容的に支障しない範囲で変更することができる。
【００６３】
また、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【００６４】
さらに、上記実施形態の一部又は全部は、以下の付記のようにも記載されうるが、これに限定されない。
【００６５】
（付記１）
信号を受信するアンテナを備える局外無線端末装置と、局内無線端末装置を備える基地局と、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するアンテナ角度決定手段とを含む遠隔監視装置とを備える
ことを特徴とする無線アクセスネットワークシステム。
【００６６】
（付記２）
前記基地局の局外無線端末装置が、前記アンテナの角度を調整するアンテナ調整手段を含み、
前記基地局の前記局内無線端末装置が、前記遠隔監視装置からの前記アンテナ角度指定データに含まれる各角度毎に、前記アンテナの角度調整を前記アンテナ調整手段に要求すると共に、調整した角度において受信した信号のＢＥＲ値を計測して前記アンテナ角度決定手段に送るＢＥＲ値計測手段と含むとを備えることを特徴とする付記１に記載の無線アクセスネットワークシステム。
【００６７】
（付記３）
前記アンテナ角度決定手段が、
受信した前記ＢＥＲ値が最も低い角度を、前記アンテナの角度として決定することを特徴とする付記１又は付記２に記載の無線アクセスネットワークシステム。
【００６８】
（付記４）
前記遠隔監視装置に、電波の受信レベルが変動する現象であるフェーディングについての所定の情報が入力されると、
前記アンテナ角度決定手段が、
前記フェーディングに対し予め設定された所定の角度から、入力された前記所定の情報に対応する角度を選択し、選択した前記アンテナの角度を前記基地局に送信することを特徴とする付記１から付記３の何れか１項に記載の無線アクセスネットワークシステム。
【００６９】
（付記５）
アンテナを備える基地局と、遠隔監視装置とを含む無線アクセスネットワークシステムの前記基地局のアンテナの角度を制御するアンテナ角度制御方法であって、
前記遠隔監視装置が、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するステップと、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するステップと
を含むことを特徴とする無線アクセスネットワークシステムのアンテナ角度制御方法。
【００７０】
（付記６）
前記基地局が、
前記遠隔監視装置からの前記アンテナ角度指定データに含まれる各角度毎に、前記アンテナの角度を調整し、調整した角度において受信した信号のＢＥＲ値を計測して前記遠隔監視装置に送信し、
前記遠隔監視装置から受信した決定した前記アンテナの角度に基づいて前記アンテナの向きを調整することを特徴とする付記５に記載の無線アクセスネットワークシステムのアンテナ角度制御方法。
【００７１】
（付記７）
前記遠隔監視装置が、
受信した前記ＢＥＲ値が最も低い角度を、前記アンテナの角度として決定することを特徴とする付記５又は付記６に記載の無線アクセスネットワークシステム。
【００７２】
（付記８）
前記遠隔監視装置が、
電波の受信レベルが変動する現象であるフェーディングについての所定の情報が入力されると、前記フェーディングに対し予め設定された所定の角度から、入力された前記所定の情報に対応する角度を選択し、選択した前記アンテナの角度を前記基地局に送信することを特徴とする付記５から付記７の何れか１項に記載の無線アクセスネットワークシステム。
【００７３】
（付記９）
アンテナを備える基地局と、遠隔監視装置とを含む無線アクセスネットワークシステム上で動作し、前記基地局のアンテナの角度を制御するアンテナ角度制御プログラムであって、
前記遠隔監視装置に、
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信する処理と、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信する処理とを、実行させる
ことを特徴とするアンテナ角度制御プログラム。
【００７４】
（付記１０）
前記基地局に、
前記遠隔監視装置からの前記アンテナ角度指定データに含まれる各角度毎に、前記アンテナの角度を調整し、調整した角度において受信した信号のＢＥＲ値を計測して前記遠隔監視装置に送信する処理と、
前記遠隔監視装置から受信した決定した前記アンテナの角度に基づいて前記アンテナの向きを調整する処理とを、実行させる
ことを特徴とする付記９に記載の無線アクセスネットワークシステムのアンテナ角度制御プログラム。
【００７５】
（付記１１）
前記遠隔監視装置に、
受信した前記ＢＥＲ値が最も低い角度を、前記アンテナの角度として決定する処理を実行させることを特徴とする付記９又は付記１０に記載の無線アクセスネットワークシステム。
【００７６】
（付記１２）
前記遠隔監視装置に、
電波の受信レベルが変動する現象であるフェーディングについての所定の情報が入力されると、前記フェーディングに対し予め設定された所定の角度から、入力された前記所定の情報に対応する角度を選択し、選択した前記アンテナの角度を前記基地局に送信する処理を実行させることを特徴とする付記９から付記１１の何れか１項に記載の無線アクセスネットワークシステム。
【００７７】
（付記１３）
受信した信号の通信品質を示すＢＥＲ（Ｂｉｔ  Ｅｒｒｏｒ  Ｒａｔｅ）値を計測するためのアンテナ角度を指定するアンテナ角度指定データを生成し、信号を受信するアンテナを備える基地局に送信するアンテナ角度指定手段と、
前記基地局から、前記アンテナ角度指定データに基づいて各角度で測定した前記ＢＥＲ値を受信し、受信した前記ＢＥＲ値に基づいて前記アンテナの角度を決定し、決定した前記アンテナの角度を前記基地局に送信するアンテナ角度決定手段とを備える
ことを特徴とする無線アクセスネットワークシステムの遠隔監視装置。
【符号の説明】
【００７８】
１００：無線アクセスネットワークシステム
１０、２０：パラボナアンテナ
１１、２１：アンテナ可動装置
１２、２２：局外無線端末装置
１３、２３：局内無線端末装置
３０：ＩＰ網
４０：遠隔監視装置
１２１、２２１、１３１、２３１、４０１：送受信手段
１２２、２２２：アンテナ調整手段
１３２、２３２：ＢＥＲ値計測手段
４０２：アンテナ角度指定手段
４０３：ＢＥＲ値記憶手段
８０１：ＣＰＵ
８０２：主記憶部
８０３：通信部
８０４：入出力インタフェース部
８０５：入力装置
８０６：出力装置
８０７：記憶装置
８０８：システムバス
【図１】
2012129859.tif 000003
【図２】
2012129859.tif 000004
【図３】
2012129859.tif 000005
【図４】
2012129859.tif 000006